(57)【特許請求の範囲】
【請求項１】
上ケースと下ケースとからなり、記録テープが巻装されたリールを収容するケースと、
各種情報が記憶され、前記ケース内に所定の角度で傾斜配置される非接触型のメモリーボードと、
を備え、
前記下ケースが、前記メモリーボードの下面略中央部を支持する支持部を有し、
前記上ケースが、前記メモリーボードの上面略中央部に非接触で対向する断面視略「Ｔ」字型形状の第１保持部と、前記メモリーボードの少なくとも長手方向略中央部よりも一方の側の上面に非接触で対向する第２保持部を有することを特徴とする記録テープカートリッジ。
【請求項２】
前記第１保持部は、前記第２保持部よりも突出高さが高いことを特徴とする請求項１に記載の記録テープカートリッジ。
【請求項３】
前記メモリーボードは、その長手方向略中央部よりも一方の側に膨出部を有することを特徴とする請求項２に記載の記録テープカートリッジ。
【発明の詳細な説明】
【技術分野】
【０００１】
本発明は、主にコンピューター等の記録再生媒体として使用される磁気テープ等の記録テープをケース内に収容してなる記録テープカートリッジに関する。
【背景技術】
【０００２】
従来から、コンピューター等のデータ記録再生媒体（データバックアップ）として使用される磁気テープ等の記録テープを合成樹脂製のリールに巻装し、そのリールをケース内に単一で収容してなる記録テープカートリッジが知られている。このような記録テープカートリッジには、記録容量や記録形式等の各種情報を記憶した非接触型のメモリーボードが内蔵される場合がある。
【０００３】
このメモリーボードは、電磁波によりアクセス（読み取り・書き込み）可能に構成されており、メモリーボードに記憶されている各種情報を、ケースの後面側からアクセスするライブラリー装置や、ケースの下面側からアクセスするドライブ装置に対応可能なように、ケース内において、所定の角度（例えば４５度）で傾斜配置されている（例えば、特許文献１参照）。
【特許文献１】特開２００１−２０２７４５号公報
【発明の開示】
【発明が解決しようとする課題】
【０００４】
このようにメモリーボードは、ケース内において、所定の角度で傾斜配置される必要があるため、ケースには、メモリーボードを所定の傾斜角度で保持するための保持構造が形成されている。しかしながら、特許文献１に記載の保持構造では、メモリーボードを押圧して保持するため、メモリーボードを変形させてしまう（破損させてしまう）おそれがある。つまり、メモリーボードの保持構造には、未だ改善の余地がある。
【０００５】
そこで、本発明は、メモリーボードを変形させることなく、安定して保持できる保持構造を有する記録テープカートリッジを得ることを目的とする。
【課題を解決するための手段】
【０００６】
上記の目的を達成するために、本発明に係る請求項１に記載の記録テープカートリッジは、上ケースと下ケースとからなり、記録テープが巻装されたリールを収容するケースと、各種情報が記憶され、前記ケース内に所定の角度で傾斜配置される非接触型のメモリーボードと、を備え、前記下ケースが、前記メモリーボードの下面略中央部を支持する支持部を有し、前記上ケースが、前記メモリーボードの上面略中央部に非接触で対向する断面視略「Ｔ」字型形状の第１保持部と、前記メモリーボードの少なくとも長手方向略中央部よりも一方の側の上面に非接触で対向する第２保持部を有することを特徴としている。
【０００７】
請求項１に記載の発明によれば、第１保持部及び第２保持部は、共にメモリーボードに対向する構成とされている。つまり、第１保持部及び第２保持部は、共にメモリーボードに対して積極的に接触することのない構成とされている。したがって、メモリーボードを変形させるおそれがなく、メモリーボードを安定して保持することができる。また、メモリーボードの上面略中央部に対向する第１保持部が、断面視略「Ｔ」字型形状に形成されているので、第１保持部の強度を向上させることができる。したがって、第１保持部が折れ曲がるような不具合がなく、メモリーボードを安定して保持することができる。
【０００８】
また、請求項２に記載の記録テープカートリッジは、請求項１に記載の記録テープカートリッジにおいて、前記第１保持部が、前記第２保持部よりも突出高さが高いことを特徴としている。
【０００９】
請求項２に記載の発明によれば、メモリーボードの上面略中央部に対向する第１保持部が、第２保持部よりも突出高さが高いので、傾斜配置されるメモリーボードに対向する部分の長さを長くすることができる。したがって、メモリーボードを更に安定して保持することができる。
【００１０】
また、請求項３に記載の記録テープカートリッジは、請求項２に記載の記録テープカートリッジにおいて、前記メモリーボードが、その長手方向略中央部よりも一方の側に膨出部を有することを特徴としている。
【００１１】
請求項３に記載の発明では、メモリーボードが、その長手方向略中央部よりも一方の側に膨出部を有する。ここで、支持部はメモリーボードの下面略中央部を支持し、第１保持部は、メモリーボードの上面略中央部に対向し、第２保持部は第１保持部よりも、その突出高さが低くされているので、記録テープカートリッジの製造工程において、メモリーボードの向きが表裏反対或いは左右反対になって供給されても、そのメモリーボードを収容することができる。
【発明の効果】
【００１２】
以上のように、本発明によれば、メモリーボードを変形させることなく、安定して保持できる保持構造を有する記録テープカートリッジを提供することができる。
【発明を実施するための最良の形態】
【００１３】
以下、本発明の最良な実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００１４】
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。すなわち、上ケース１４及び下ケース１６にはビスボス１５がそれぞれ各コーナー部近傍に形成されており、下ケース１６の下面側から、そのビスボス１５に図示しないビスが螺合されることにより、ケース１２が組み立てられるようになっている。
【００１５】
ケース１２の内部には、リール２０が１つだけ回転可能に収容される。このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１６】
また、リールハブ２２の底壁２８の下面には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされる。
【００１７】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００１８】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００１９】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２０】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００２１】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２２】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２３】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２４】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２５】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２６】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の下面から突出することはない。
【００２７】
また、図２、図３で示すように、ケース１２の右後部には、記録容量、記録形式等の各種情報が記憶されたメモリーボードＭが所定の傾斜角度で配置される。メモリーボードＭは、略矩形平板状に形成され、その長手方向略中央部よりも一端側の一方の面（上面）に、メモリーボードＭの略半分の大きさとなる膨出部ｅが形成されている。これにより、メモリーボードＭの長手方向一端側の板厚が他端側の板厚よりも厚くなる構成である。そして、メモリーボードＭは、その膨出部ｅが、例えば左側に来るように、長手方向を左右方向としてケース１２内に設けられ、ケース１２に形成された保持構造１００によって保持される。
【００２８】
図４、図６、図７で詳細に示すように、下ケース１６の底板１６Ａ内面で、ビスボス１５及び支持台６６よりも後方側には、そのメモリーボードＭが所定角度に傾斜した姿勢を維持できるように（滑って倒れないように）、その下端部を支持する角度規制リブ１０２が左右方向を長手方向として所定厚さ及び所定高さで突設されている。そして、その角度規制リブ１０２とケース１２の後壁１２Ｄ（周壁１６Ｂ）との間には、下ケース１６の底板１６Ａ内面及び周壁１６Ｂ内面に跨って側面視略三角形状（傾斜角度θ）の支持リブ（支持部）１０４が所定厚さ及び所定高さで突設されている。この支持リブ１０４により、メモリーボードＭの膨出部ｅが形成されていない他方の面（下面）の長手方向略中央部が支持される構成である。
【００２９】
また、下ケース１６の底板１６Ａ内面で、遊動規制壁４２側には、メモリーボードＭの長手方向左側の位置を規制する第１位置規制リブ１０６が前後方向を長手方向として所定厚さ及び所定高さで突設されている。そして、その第１位置規制リブ１０６と対向する、下ケース１６の底板１６Ａ内面及び周壁１６Ｂ（右壁１２Ｂ）内面に跨る部位には、メモリーボードＭの長手方向右側の位置を規制する平面視略「Ｌ」字型形状の第２位置規制リブ１０８が所定厚さ及び所定高さで突設されている（図６参照）。
【００３０】
これら第１位置規制リブ１０６及び第２位置規制リブ１０８により、メモリーボードＭの左右方向の位置ズレが防止される構成である。なお、第１位置規制リブ１０６の上部右側面には、メモリーボードＭをスムーズに挿入できるように所定角度のテーパー面１０６Ａが形成されている。また、第２位置規制リブ１０８の左右方向の突出長さを適宜設計変更することで、ケース１２内に収容するメモリーボードＭの左右方向の長さに対応可能となっている。
【００３１】
一方、図５〜図７で詳細に示すように、上ケース１４の天板１４Ａ内面で、ビスボス１５よりも後方側には、メモリーボードＭの膨出部ｅを避けた上面略中央部に微少な間隙Ｓ１を隔てて対向する第１保持リブ（第１保持部）１１０と、メモリーボードＭの長手方向両端部近傍の上面（片方が膨出部ｅの上面）に微少な間隙Ｓ２を隔てて対向する第２保持リブ（第２保持部）１１２が、前後方向を長手方向としてそれぞれ所定厚さ及び所定高さで突設されている。
【００３２】
すなわち、第１保持リブ１１０及び第２保持リブ１１２は、メモリーボードＭに対して積極的に接触することのないように（メモリーボードＭに反りなどがない通常時では非接触となるように）構成されている。なお、間隙Ｓ１と間隙Ｓ２は、相違するように設定してもよいし、同一となるように設定してもよい。
【００３３】
また、第１保持リブ１１０及び第２保持リブ１１２は、上ケース１４の天板１４Ａ内面及び周壁１４Ｂ（後壁１２Ｄ）内面に跨る側面視略台形状に形成され、その先端面（下端面）が、メモリーボードＭの傾斜角度と同一となるように、前方側の突出高さが後方側の突出高さよりも高くなるような傾斜面（図７の側面視で左下がりの傾斜面）に形成されている。
【００３４】
そして、第１保持リブ１１０は、前端部１１０Ａが左右方向に延在された断面視（底面視）略「Ｔ」字型形状に形成されており、第２保持リブ１１２よりも前後方向に長く形成されている。つまり、第１保持リブ１１０の方が、第２保持リブ１１２よりも、その突出高さが高く形成され、所定角度（例えばθ＝４５度）で傾斜配置されているメモリーボードＭの長手方向と直交する幅方向略全体に対向可能な長さとされている。
【００３５】
なお、第１保持リブ１１０の前端部１１０Ａの下端面１１０Ｂも、メモリーボードＭの傾斜角度θに沿った傾斜面とされている（図７参照）。また、第２保持リブ１１２は、第１保持リブ１１０を挟んで左右方向に所定間隔を隔てて形成されており、遊動規制壁４２に近い左側のレフトリブ１１２Ａの先端部が、右壁１２Ｂに近い右側のライトリブ１１２Ｂの先端部よりも、その突出高さが低くなるように形成されている。
【００３６】
すなわち、第２保持リブ１１２のレフトリブ１１２Ａの先端部（下端部）は、メモリーボードＭの膨出部ｅを許容するように短く切り欠かれており、その膨出部ｅの形状に沿うような段差部１１４が形成されている（図７参照）。なお、第２保持リブ１１２のライトリブ１１２Ｂにも段差部１１４を形成してもよい。つまり、第２保持リブ１１２のレフトリブ１１２Ａとライトリブ１１２Ｂは共に同じ形状とされてもよい。
【００３７】
また、図示の第２保持リブ１１２は、第１保持リブ１１０の左右両側に、それぞれレフトリブ１１２Ａとライトリブ１１２Ｂとして設けられているが、この第２保持リブ１１２は、第１保持リブ１１０の左右どちらか一方にのみ設けられていてもよい。更に、支持リブ１０４と第１保持リブ１１０は、平面視（底面視）で同じ位置に形成されることが望ましいが、少なくとも一部が互いにオーバーラップするような位置に形成されていればよい。
【００３８】
また、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００３９】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００４０】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００４１】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００４２】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００４３】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。なお、制動部材８０の材質としては、例えばポリアセタール（ＰＯＭ）が用いられ、解除部材９０の材質としては、例えばポリブチレンテレフタレート（ＰＢＴ）が用いられる。
【００４４】
以上のような構成の記録テープカートリッジ１０において、次に、その作用について説明する。記録テープカートリッジ１０では、不使用時（保管時や運搬時等）には、開口１８がドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００４５】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４６】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４７】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４８】
そして、駆動ギアとリールギア４４とが完全に噛合した状態で、リールプレート４６が、駆動ギアの内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００４９】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５０】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５１】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００５２】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５３】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５４】
ここで、メモリーボードＭを保持する保持構造１００の作用について説明する。記録テープカートリッジ１０の製造工程では、メモリーボードＭは、下ケース１６側へ供給される。図６、図７で示すように、下ケース１６には、メモリーボードＭの下面略中央部を支持する支持リブ１０４と、メモリーボードＭの下端部を支持する角度規制リブ１０２と、メモリーボードＭの左右方向の位置をそれぞれ規制する第１位置規制リブ１０６及び第２位置規制リブ１０８が形成されているので、メモリーボードＭは、下ケース１６から脱落することなく、所定の傾斜角度（例えばθ＝４５度）で支持される。
【００５５】
そして、メモリーボードＭが下ケース１６内に所定の傾斜角度で収容された後、所定のタイミングで上ケース１４が下ケース１６に被される。このとき、図６、図７で示すように、メモリーボードＭの膨出部ｅを避けた上面略中央部に第１保持リブ１１０が所定の間隙Ｓ１を隔てて対向し、メモリーボードＭの膨出部ｅの上面に第２保持リブ１１２のレフトリブ１１２Ａが所定の間隙Ｓ２を隔てて対向し、メモリーボードＭの膨出部ｅが形成されていない上面に第２保持リブ１１２のライトリブ１１２Ｂが所定の間隙Ｓ２（又はＳ１）を隔てて対向する。
【００５６】
つまり、第１保持リブ１１０と第２保持リブ１１２（レフトリブ１１２Ａ及びライトリブ１１２Ｂ）は、共にメモリーボードＭに対して積極的に接触することがない状態で（非接触状態で）対向する。そのため、メモリーボードＭが第１保持リブ１１０及び第２保持リブ１１２に押圧されるような不具合はなく、よって、メモリーボードＭが変形するおそれがない。また、上ケース１４が下ケース１６に被される際、メモリーボードＭは、下ケース１６から脱落することなく支持されているので、上ケース１４と下ケース１６との間に、そのメモリーボードＭが挟まれるような不具合も起きない。
【００５７】
また、下ケース１６側に、メモリーボードＭの下面略中央部を支持する支持リブ１０４が形成され、上ケース１４側に、メモリーボードＭの膨出部ｅを避けた上面略中央部に対向する第１保持リブ１１０と、メモリーボードＭの膨出部ｅの上面に対向する第２保持リブ１１２（レフトリブ１１２Ａ）と、メモリーボードＭの膨出部ｅが形成されていない上面に対向する第２保持リブ１１２（ライトリブ１１２Ｂ）が形成されているので、メモリーボードＭの長手方向両端部に斜め上方側に向かうような反りがあっても、その反りを第２保持リブ１１２（レフトリブ１１２Ａとライトリブ１１２Ｂ）で矯正することができる。したがって、メモリーボードＭに対して後面側からアクセスするライブラリー装置（図示省略）や、メモリーボードＭに対して下面側からアクセスするドライブ装置（図示省略）からの通信距離を安定化することができる。
【００５８】
また、第１保持リブ１１０は、断面視略「Ｔ」字型形状に形成されている。したがって、第１保持リブ１１０の強度（剛性）を向上でき、第１保持リブ１１０の折れ曲がりを軽減することができる。つまり、第１保持リブ１１０により、メモリーボードＭを安定して保持することができる。また、第１保持リブ１１０の左右方向に延在した前端部１１０Ａの下端面１１０Ｂで、メモリーボードＭの下端部を上方から保持することができるので、メモリーボードＭの長手方向略中央部の幅方向を軸方向とした回転方向の位置ズレも抑制することができる。したがって、メモリーボードＭの位置を安定化することができる（図６参照）。
【００５９】
また更に、第１保持リブ１１０は、第２保持リブ１１２（レフトリブ１１２Ａ及びライトリブ１１２Ｂ）よりも突出高さが高くなるように形成されている。つまり、第１保持リブ１１０は、第２保持リブ１１２（レフトリブ１１２Ａ及びライトリブ１１２Ｂ）よりも前後方向の長さが長く形成され、所定角度（例えばθ＝４５度）で傾斜配置されているメモリーボードＭの幅方向略全体に対して対向可能な長さとされている。したがって、メモリーボードＭを安定して保持することが、より効果的にできるようになっている（メモリーボードＭの位置を安定化することが、より効果的にできるようになっている）。
【００６０】
ところで、このメモリーボードＭは、その長手方向略半分側に膨出部ｅを有する形状とされている。しかし、支持リブ１０４はメモリーボードＭの下面略中央部を支持し、第１保持リブ１１０は、メモリーボードＭの膨出部ｅを避けた上面略中央部に対向している（支持リブ１０４と第１保持リブ１１０が図６の平面視で同じ位置に形成されている）ので、下ケース１６に対して、メモリーボードＭの向きが、図示のものと表裏反対になって供給されても、その膨出部ｅを破損することなく、メモリーボードＭを収容することができる。
【００６１】
また、第２保持リブ１１２は、第１保持リブ１１０よりも、その突出高さが低くなるように形成されている。したがって、第２保持リブ１１２のライトリブ１１２Ｂにも、レフトリブ１１２Ａと同様に、膨出部ｅを許容できるような段差部１１４を形成すれば、下ケース１６に対して、メモリーボードＭの向きが、図示のものと表裏反対はもちろん、左右反対になって供給されても、その膨出部ｅを破損することなく、メモリーボードＭを収容することができるようになる。
【００６２】
つまり、このような形状とされた保持構造１００によれば、長手方向略中央部よりも一方の側に膨出部ｅを有する形状とされたメモリーボードＭであっても、供給される向きを制限することなく、そのメモリーボードＭを安定して保持することが可能となる（メモリーボードＭの位置を安定化することが可能となる）。したがって、記録テープカートリッジ１０の製造ライン上のコストを低減することも可能となる。
【００６３】
なお、第１保持リブ１１０の前端部１１０Ａの左右方向への延在長さは、メモリーボードＭの膨出部ｅに干渉しない（当たらない）程度に適宜設定される。また、膨出部ｅが形成されていないメモリーボードＭの場合には、第２保持リブ１１２のレフトリブ１１２Ａは、ライトリブ１１２Ｂと同じ形状に形成される。
【００６４】
また、上記実施例の記録テープカートリッジ１０では、リーダー部材としてリーダーピン３０を有する構成としたが、記録テープカートリッジ１０は上記実施例に限定されるものではなく、例えばリーダー部材としてリーダーテープ（図示省略）を有する構成としてもよい。更に、記録テープＴは、情報の記録及び記録した情報の再生が可能な長尺テープ状の情報記録再生媒体として把握されるものであれば足り、記録テープカートリッジ１０が如何なる記録再生方式の記録テープＴにも適用可能であることは言うまでもない。
【図面の簡単な説明】
【００６５】
【図１】記録テープカートリッジの概略斜視図
【図２】記録テープカートリッジを上方から見た場合の概略分解斜視図
【図３】記録テープカートリッジを下方から見た場合の概略分解斜視図
【図４】下ケース側におけるメモリーボードの保持構造を示す概略斜視図
【図５】上ケース側におけるメモリーボードの保持構造を示す概略斜視図
【図６】メモリーボードとその保持構造を上ケースの天板を省略して示す概略平面図
【図７】メモリーボードとその保持構造を上ケースの天板を省略して示す概略断面図
【符号の説明】
【００６６】
１０  記録テープカートリッジ
１２  ケース
２０  リール
３０  リーダーピン
２４  上フランジ
２６  下フランジ
５０  ドア
７０  ライトプロテクト
８０  制動部材
９０  解除部材
１００  保持構造
１０２  角度規制リブ
１０４  支持リブ（支持部）
１０６  第１位置規制リブ
１０８  第２位置規制リブ
１１０  第１保持リブ（第１保持部）
１１２  第２保持リブ（第２保持部）
１１２Ａ  レフトリブ
１１２Ｂ  ライトリブ
１１４  段差部
Ｍ  メモリーボード
Ｔ  記録テープ
【図１】
0004819011.tif 000002
【図２】
0004819011.tif 000003
【図３】
0004819011.tif 000004
【図４】
0004819011.tif 000005
【図５】
0004819011.tif 000006
【図６】
0004819011.tif 000007
【図７】
0004819011.tif 000008